(57)【要約】【課題】  子供等がテレビに接近して視聴することを確実に防止すること。【解決手段】  テレビジョン受像機から所定距離内に人がいるか否かを検出する検出手段と、テレビジョン受像機から所定距離内に人がいると検出手段が検出したことに基づいて、パスワードの入力を要求する旨を示すパスワード要求画像データをテレビジョン受像機に出力する出力手段と、パスワードの入力を受け付ける入力手段と、パスワード要求画像データをテレビジョン受像機に出力した後に、予め定められたパスワードの入力を入力手段が受け付けなかった場合には、テレビジョン受像機における視聴を不可能とする処理を実行する視聴不可能化手段とを備えたことを特徴とするテレビジョン受像機制御装置。【選択図】    図２
2007158518.tif 000002
【特許請求の範囲】
【請求項１】
テレビジョン受像機から所定距離内に人がいるか否かを検出する検出手段と、
前記テレビジョン受像機から所定距離内に人がいると前記検出手段が検出したことに基づいて、パスワードの入力を要求する旨を示すパスワード要求画像データをテレビジョン受像機に出力する出力手段と、
パスワードの入力を受け付ける入力手段と、
前記パスワード要求画像データを前記テレビジョン受像機に出力した後に、予め定められたパスワードの入力を前記入力手段が受け付けなかった場合には、前記テレビジョン受像機における視聴を不可能とする処理を実行する視聴不可能化手段と
を備えたことを特徴とするテレビジョン受像機制御装置。
【請求項２】
前記テレビジョン受像機から所定距離内に人がいると前記検出手段が検出したことに基づいて、検出データを生成する生成手段と、
前記生成手段が生成した検出データを、電源がオフにされても消去しないように記憶する検出データ記憶手段と
を備えたことを特徴とする請求項１に記載のテレビジョン受像機制御装置。
【請求項３】
前記テレビジョン受像機から所定距離内に人がいると前記検出手段が所定期間検出し続けた場合に、検出データを生成する生成手段
を備え、
前記出力手段は、前記生成手段により検出データが生成されたことを契機として、パスワード要求画像データを前記テレビジョン受像機に出力することを特徴とする請求項１又は２に記載のテレビジョン受像機制御装置。
【発明の詳細な説明】
【技術分野】
【０００１】
本発明は、テレビジョン受像機を制御するテレビジョン受像機制御装置に関する。
【背景技術】
【０００２】
従来、テレビジョン受像機（以下、「テレビ」ともいう）の画面に接近して視聴すると近視になり易く、視力の低下の原因となるといった問題があった。視力は、一般的に一度低下すると回復が困難であるが、特に子供は、このような危険性を認識し難く、また、放送内容にのめり込み易い傾向にあるため、気付かないうちにテレビの画面に接近していることがある。また、迫力ある映像を観ることができる等の理由から、近づかないように注意を受けているにも関わらず、親の目を盗んでテレビの画面に接近する子供も多い。
【０００３】
従来、テレビの画面から視聴者までの距離が設定距離以下となった場合には、電源信号を出力するテレビ自動制御装置が存在する（例えば、特許文献１参照）。特許文献１に記載のテレビ自動制御装置によれば、テレビの画面に設定距離以下となるまで近づくと、テレビの電源がオフにされる。
【０００４】
【特許文献１】特開平１０−２８５４２５号公報
【発明の開示】
【発明が解決しようとする課題】
【０００５】
しかしながら、特許文献１に記載のテレビ自動制御装置では、電源がオフにされたとしても、テレビ又はリモコンを操作して再び電源をオンすることができるため、子供がテレビに接近して視聴することを確実に防止するができないといった問題があった。また、特許文献１に記載のテレビ自動制御装置では、設定距離を変更するための設定ツマミが設けられているため、子供が、自ら設定を変更し、接近して視聴してしまうといった問題があった。
【０００６】
本発明は、上述した課題に鑑みてなされたものであり、その目的は、子供等がテレビに接近して視聴することを確実に防止することにある。
【課題を解決するための手段】
【０００７】
以上のような目的を達成するために、本発明は、以下のようなものを提供する。
（１）  テレビジョン受像機から所定距離内に人がいるか否かを検出する検出手段と、
上記テレビジョン受像機から所定距離内に人がいると上記検出手段が検出したことに基づいて、パスワードの入力を要求する旨を示すパスワード要求画像データをテレビジョン受像機に出力する出力手段と、
パスワードの入力を受け付ける入力手段と、
上記パスワード要求画像データを上記テレビジョン受像機に出力した後に、予め定められたパスワードの入力を上記入力手段が受け付けなかった場合には、上記テレビジョン受像機における視聴を不可能とする処理を実行する視聴不可能化手段と
を備えたことを特徴とするテレビジョン受像機制御装置。
【０００８】
（１）の発明によれば、テレビジョン受像機から所定距離内に人がいると検出したことに基づいて、パスワードの入力を要求する旨を示すパスワード要求画像データをテレビジョン受像機に出力する。従って、テレビジョン受像機から所定距離内に人が近づくと、テレビジョ受像機の画面には、パスワードの入力を要求する画像が表示されることになる。
そして、パスワード要求画像データをテレビジョン受像機に出力した後に、予め定められたパスワードの入力を受け付けなかった場合には、テレビジョン受像機における視聴を不可能とする処理を実行する。従って、パスワードを知らない視聴者（例えば、子供）は、テレビジョン受像機から所定距離内に近づいてしまうと、視聴ができなくなる。従って、パスワードを知らない視聴者（子供）がテレビに接近して視聴することを確実に防止することができる。
なお、本発明において「視聴が不可能」とは、例えば、テレビジョン受像機の画面に何も表示されない、所定の画像（例えば、パスワードの入力要求画像）以外は表示されない、映像にスクランブルが施される等、テレビジョン受像機の画面に表示されるべき映像が正常に表示されないことをいう。
また、本発明において、「視聴を不可能とする処理」とは、パスワード設定者等が所定の操作を行わない限り、当該テレビジョン受像機において視聴が不可能な状態にする処理をいい、例えば、当該テレビジョン受像機制御装置の電源や、テレビジョン受像機の電源（例えば、主電源や副電源）がオン、オフ操作されたとしても、視聴不可能な状態を維持するようにする処理をいう。
【０００９】
さらに、本発明は、以下のようなものを提供する。
（２）  上記（１）に記載のテレビジョン受像機制御装置であって、
上記テレビジョン受像機から所定距離内に人がいると上記検出手段が検出したことに基づいて、検出データを生成する生成手段と、
上記生成手段が生成した検出データを、電源がオフにされても消去しないように記憶する検出データ記憶手段と
を備えたことを特徴とする。
【００１０】
（２）の発明によれば、テレビジョン受像機から所定距離内に人がいると検出したことに基づいて、検出データを生成し、生成した検出データを、電源がオフにされても消去しないように記憶する。従って、パスワードを知らない視聴者がテレビジョン受像機に接近したか否かを確実に知ることができる。その結果、例えば、親と子供との間で、近づかない約束をした場合、約束が守られた場合には、褒めてあげることができ、また、守られていない場合には、しかることができるため、子供をしつけることができる。
【００１１】
さらに、本発明は、以下のようなものを提供する。
（３）  上記（１）又は（２）に記載のテレビジョン受像機制御装置であって、
上記テレビジョン受像機から所定距離内に人がいると上記検出手段が所定期間検出し続けた場合に、検出データを生成する生成手段
を備え、
上記出力手段は、上記生成手段により検出データが生成されたことを契機として、パスワード要求画像データを上記テレビジョン受像機に出力することを特徴とする。
【００１２】
（３）の発明によれば、テレビジョン受像機から所定距離内に人が所定期間（例えば、１０秒間）いた場合に、検出データを生成し、検出データが生成されたことを契機として、パスワード要求画像データをテレビジョン受像機に出力する。従って、単に前を横切っただけのような場合には、パスワード要求画像がテレビジョン受像機に表示されたり、視聴が不可能になったりすることを防止することができる。
【発明の効果】
【００１３】
本発明によれば、子供等がテレビに接近して視聴することを確実に防止することができる。
【発明を実施するための最良の形態】
【００１４】
図１は、本実施形態に係るテレビジョン受像機制御装置をテレビジョン受像機の上に載置した状態を示した斜視図である。
テレビジョン受像機制御装置１０は、放出部１６から前方に向けて赤外線を放射し、テレビジョン受像機１２０の前方にいる視聴者によって反射されたこの赤外線（反射赤外線）を受信部１８で受信する。テレビジョン受像機制御装置１０では、受信した反射赤外線の強度により、テレビジョン受像機１２０と視聴者との距離を算出する。算出の結果、視聴者が、接近禁止範囲である所定距離Ｄ内にいる場合には、テレビジョン受像機１２０の画面１２２にパスワードの入力を要求する画面を表示させる。そして、パスワードが入力部２０を介して入力されなかった場合には、それ以降、テレビジョン受像機１２０における視聴を不可能にする。
【００１５】
このように、テレビジョン受像機制御装置１０によれば、パスワードを知らない視聴者がテレビジョン受像機１２０から所定距離Ｄ内に近づいてしまうと、それ以降視聴ができなくなる。
【００１６】
図２は、図１に示したテレビジョン受像機制御装置の内部構成を示すブロック図である。
テレビジョン受像機制御装置１０は、検出手段としての距離測定用センサ１２、入力部２０、表示部２２、インターフェイス（Ｉ／Ｆ）２４、不揮発性メモリ２６及びマイクロコンピュータ２８を備えており、インターフェイス２４によって配線１３０を介してテレビジョン受像機１２０と接続されている。インターフェイスとしては、例えば、ＬＡＮポート、ＵＳＢ（Ｕｎｉｖｅｒｓａｌ  Ｓｅｒｉａｌ  Ｂｕｓ）ポート、ＲＳ−２３２Ｃポート等を挙げることができることができる。例えば、インターフェイスがＬＡＮポートである場合、ＬＡＮケーブルとしての配線を介して、テレビジョン受像機制御装置とＬＡＮ端子を備えるテレビジョン受像機とを接続することができる。
なお、配線１３０は、テレビジョン受像機制御装置１０とテレビジョン受像機１２０とに着脱し難く接続されていることが望ましい。パスワードを知らない視聴者が配線１３０の接続を解除し、テレビに接近して視聴することを防止するためである。本実施形態においては、テレビジョン受像機制御装置１０とテレビジョン受像機１２０との接続が有線による接続である場合について説明するが、例えば、赤外線通信による接続等、無線による接続であってもよい。
【００１７】
距離測定用センサ１２は、距離演算回路１４、放出部１６、受信部１８とから構成されている。距離演算回路１４は、放出部１６から放射した赤外線の強度と受信部１８から受信した反射赤外線の強度とに基づいて、視聴者８０とテレビジョン受像機１２０との距離を算出する。なお、赤外線としては、テレビジョン受像機や家庭内で使用される他の電気製品のリモコン等に用いられる周波数とは異なる周波数を用いることが望ましい。誤動作を避けるためである。
【００１８】
入力手段としての入力部２０は、テレビジョン受像機制御装置１０の動作開始入力、パスワードの入力等を、リモートコントロール装置（図示せず）を介して受け付ける。なお、本実施形態では、リモートコントロール装置を介して各種入力を受け付ける場合について説明するが、本発明において入力手段は、例えば、操作キーからなり、直接、操作入力を受け付け可能であってもよい。
【００１９】
不揮発性メモリ２６には、視聴者８０を検出している時間を計時するための計時プログラムが記憶されている。マイクロコンピュータ２８は、この計時プログラムを読み出して実行することにより、所定距離Ｄ内に継続して視聴者８０がいる時間を計時する。マイクロコンピュータ２８は、所定期間（本実施形態では１０秒間）、所定距離Ｄ内に視聴者８０がいたと判断した場合には、検出データを生成する。
【００２０】
また、検出データ記憶手段としての不揮発性メモリ２６には、電源がオフにされても消去しないように、不揮発に検出データを記憶する領域が設けられている。検出データは、所定期間、所定距離Ｄ内に視聴者８０がいたことを示すデータである。なお、本実施形態では、検出データには、検出データが生成された時刻に関するデータが含まれている場合について説明するが、含まれていなくともよく、他のデータが含まれていてもよい。
【００２１】
また、不揮発性メモリ２６には、所定のパスワードを記憶する領域が設けられている。また、不揮発性メモリ２６には、パスワード要求画像データが記憶されている。パスワード要求画像データは、テレビジョン受像機１２０の画面１２２にパスワードの入力を要求する旨を示すパスワード要求画像を表示するためのデータである。
【００２２】
マイクロコンピュータ２８は、検出データが生成されたことを契機として、パスワード入力要求画像データを後述するＯＳＤ（オン・スクリーン・ディスプレイ）回路３４に出力する。
【００２３】
表示部２２は、テレビジョン受像機制御装置１０の制御状態や、各種設定値等を表示するものである。
【００２４】
さらに、テレビジョン受像機制御装置１０は、放送受信部３０、信号分離部３２、ＯＳＤ回路３４、映像信号出力部３６及び音声信号出力部３８を備えている。
アンテナ１４０から、放送受信部３０を介して放送信号を受信すると、信号分離部３２では、放送信号に多重化されている各信号が分離される。分離された映像信号は、ＯＳＤ回路３４に入力される。ＯＳＤ回路では、マイクロコンピュータ２８からパスワード要求画像データの供給を受けている場合には、このパスワード要求画像データが該映像信号に合成され、映像信号出力部３６を介してテレビジョン受像機１２０に出力される。また、信号分離部３２で分離された音声信号は、音声信号出力部３８を介してテレビジョン受像機１２０に出力される。
【００２５】
図３は、テレビジョン受像機制御装置において実行される制御処理のサブルーチンを示すフローチャートである。
まず、マイクロコンピュータ２８は、入力部２０を介して制御開始の指示入力を受け付けると、赤外線の放射を開始する所定の信号を距離測定用センサ１２に送信する（ステップＳ１０）。距離測定用センサ１２では、この信号を受信すると、赤外線の放射を開始する。
【００２６】
次に、ステップＳ１１において、マイクロコンピュータ２８は、所定距離Ｄ内に人を検出したか否かを判断する。この処理において、マイクロコンピュータ２８は、距離演算回路１４から出力された算出結果に基づいて、所定距離Ｄ内に人を検出したか否かを判断する。所定距離Ｄ内に人を検出したと判断した場合、マイクロコンピュータ２８は、タイマ値を１０秒（Ｔ＝１０）としてタイマをセットし、カウントダウンを開始する（ステップＳ１２）。一方、所定距離Ｄ内に人を検出していないと判断した場合、処理をステップＳ１１に戻す。
【００２７】
ステップＳ１２の処理の後、マイクロコンピュータ２８は、タイマ値がゼロ（Ｔ＝０）であるか否かを判断する（ステップＳ１３）。タイマ値がゼロであると判断した場合（ステップＳ１３：ＹＥＳ）、処理をステップＳ１７に移す。一方、タイマ値がゼロでないと判断した場合（ステップＳ１３：ＮＯ）、マイクロコンピュータ２８は、所定距離Ｄ内に人を検出しているか否かを判断し（ステップＳ１４）、所定距離Ｄ内に人を検出していると判断した場合には（ステップＳ１４：ＹＥＳ）、タイマ値を更新し（ステップＳ１５）、処理をステップＳ１３に戻す。一方、所定距離Ｄ内に人を検出していないと判断した場合には（ステップＳ１４：ＮＯ）、タイマをクリアし（ステップＳ１６）、処理をステップＳ１１に戻す。ステップＳ１３において、タイマ値がゼロであると判断した場合、処理をステップＳ１７に移す。
【００２８】
ステップＳ１７において、マイクロコンピュータ２８は、図示しない内蔵時計又はテレビジョン受像機制御装置１０に入力される種々の信号（例えば、放送信号やテレビジョン受像機から入力される信号）から現在時刻を取得し、これを含めて検出データを生成する。ステップＳ１７の処理を実行するとき、マイクロコンピュータ２８は、テレビジョン受像機１２０から所定距離Ｄ内に人がいると距離測定用センサ１２が検出したことに基づいて、検出データを生成する生成手段として機能する。
【００２９】
次に、ステップＳ１８において、マイクロコンピュータ２８は、検出データを不揮発性メモリ２６に記憶する。なお、不揮発性メモリ２６に記憶された検出データは、電源がオフにされても消去されない。また、検出データは、パスワードが入力されない限り、閲覧や消去ができないように記憶される。不揮発性メモリ２６は、検出データを、電源がオフにされても消去しないように記憶する検出データ記憶手段として機能するものである。
【００３０】
次に、ステップＳ１９において、マイクロコンピュータ２８は、不揮発性メモリ２６からパスワード要求画像データを読み出して、ＯＳＤ回路３４に出力する。ＯＳＤ回路３４では、このパスワード要求画像データを映像信号に合成し、テレビジョン受像機１２０に出力する。その結果、図４に示すような画像がテレビジョン受像機１２０の画面１２２に表示されることとなる。ステップＳ１９の処理を実行するとき、マイクロコンピュータ２８は、パスワード要求画像データをテレビジョン受像機１２０に出力する出力手段として機能する。
【００３１】
次に、ステップＳ２０において、マイクロコンピュータ２８は、パスワードの入力があったか否かを判断する。具体的には、マイクロコンピュータ２８は、パスワード入力を受付可能な所定期間（例えば、１５秒間）内に入力部２０を介してパスワードの入力があったか否かを判断する。パスワードの入力があったと判断した場合、パスワード要求画像データをクリアし、処理をステップＳ１１に戻す。これにより、テレビジョン受像機１２０では、画面に表示されるべき映像のみが正常に表示されることとなる。一方、パスワードの入力がなかったと判断した場合、処理をステップＳ２１に移す。
【００３２】
ステップＳ２１において、マイクロコンピュータ２８は、テレビジョン受像機１２０における視聴を不可能とする処理を実行する。この処理において、マイクロコンピュータ２８は、配線１３０を介してテレビジョン受像機１２０の電源をオフにし、さらに、テレビジョン受像機１２０の電源やテレビジョン受像機制御装置１０の電源がオン・オフ操作等されても、パスワードが入力されない限り、テレビジョン受像機１２０の電源がオンにならないように制御する。ステップＳ２１の処理を実行するとき、マイクロコンピュータ２８は、テレビジョン受像機１２０における視聴を不可能とする処理を実行する視聴不可能化手段として機能する。ステップＳ２１の処理の後、赤外線の放射を終了する等、所定の終了処理を実行し、本サブルーチンを終了する。
【００３３】
図４は、テレビジョン受像機に表示されるパスワード要求画像の一例を示す図である。
図４に示すように、画面１２２には、「パスワードを入力してください  残り１５秒」というパスワード要求画像が表示されている。
本実施形態では、パスワード要求画像データに基づくパスワード要求画像が、テレビジョン受像機１２０の画面１２２に全画面表示される場合について説明したが、パスワード要求画像は、画面１２２の一部に表示され、パスワード要求画像が表示されていない部分では、放送に係る映像が表示されることとしてもよい。
【００３４】
本実施形態では、距離測定用センサ１２が、所定距離Ｄ内に人を検出したか否かを、反射赤外線の受信強度から算出して検出する場合について説明したが、本発明においてはこれに限定されず、例えば、検出手段は、出力する赤外線の強度を所定距離に応じて変更し、反射赤外線を受信したか否かにより、所定距離内に人を検出したか否かを検出することとしてもよく、テレビジョン受像機から所定距離内に人がいるか否かを検出することができれば特に限定されない。
また、本実施形態では、赤外線によりテレビジョン受像機１２０から所定距離Ｄ内に人がいるか否かを検出する場合について説明したが、本発明においては、赤外線に限定されず、例えば、超音波により検出することとしてもよい。
【００３５】
本発明において、所定距離は、例えば、テレビジョン受像機の画面のインチ数に応じて設定（例えば、インチ数×０．１５ｍとして設定）されていてもよく、入力部等を介して適宜設定可能であってもよい。入力部を介して設定する場合、パスワードの入力等、所定の操作を必要とすることが望ましい。パスワードを知らない視聴者（例えば、子供）が設定距離を変更し、テレビに接近して視聴してしまう場合があるからである。
【００３６】
以上、テレビジョン受像機制御装置１０によれば、テレビジョン受像機１２０から所定距離Ｄ内に人がいると検出したことに基づいて、パスワード要求画像データをテレビジョン受像機１２０に出力する。従って、テレビジョン受像機１２０から所定距離Ｄ内に人が近づくと、テレビジョ受像機１２０の画面１２２には、パスワードの入力を要求する画像が表示されることになる。
そして、パスワード要求画像データをテレビジョン受像機１２０に出力した後に、予め定められたパスワードの入力を受け付けなかった場合には、テレビジョン受像機１２０における視聴を不可能とする処理を実行する。従って、パスワードを知らない視聴者（例えば、子供）は、テレビジョン受像機１２０から所定距離Ｄ内に近づいてしまうと、視聴ができなくなる。従って、パスワードを知らない視聴者（子供）がテレビに接近して視聴することを確実に防止することができる。
【００３７】
また、テレビジョン受像機制御装置１０によれば、テレビジョン受像機１２０から所定距離Ｄ内に人がいると検出したことに基づいて、検出データを生成し、生成した検出データを、電源がオフにされても消去しないように記憶する。従って、パスワードを知らない視聴者がテレビジョン受像機１２０に接近したか否かを確実に知ることができる。その結果、例えば、親と子供との間で、近づかない約束をした場合、約束が守られた場合には、褒めてあげることができ、また、守られていない場合には、しかることができるため、子供をしつけることができる。
【００３８】
また、テレビジョン受像機制御装置１０によれば、テレビジョン受像機１２０から所定距離Ｄ内に人が所定期間（本実施形態では、１０秒間）いた場合に、検出データを生成し、検出データが生成されたことを契機として、パスワード要求画像データをテレビジョン受像機１２０に出力する。従って、単に前を横切っただけのような場合には、パスワード要求画像がテレビジョン受像機１２０に表示されたり、視聴が不可能になったりすることを防止することができる。
【００３９】
本実施形態では、テレビジョン受像機制御装置１０とテレビジョン受像機１２０とが配線１３０により接続されている場合について説明したが、本発明において、テレビジョン受像機制御装置は、テレビジョン受像機に内蔵されていることとしてもよい。
【００４０】
本実施形態では、テレビジョン受像機制御装置１０が放送を受信する場合について説明したが、本発明においては、所定の条件を満たした場合に、パスワード要求画像データをテレビジョン受像機に出力可能であり、パスワード要求画像データを受信したテレビジョン受像機がパスワード要求画像を画面に表示可能であれば、放送を受信しなくともよい。
【００４１】
本実施形態では、テレビジョン受像機１２０における視聴を不可能とする処理が実行されると、テレビジョン受像機１２０の電源がオンにならないように制御される場合について説明したが、本発明においてはこれに限定されず、テレビジョン受像機における視聴を不可能とする処理が実行されると、例えば、テレビジョン受像機の画面に何も表示されない、所定の画像（例えば、パスワードの入力要求画像）以外は表示されない、映像にスクランブルが施されるといった制御がされることとしてもよく、テレビジョン受像機の画面に表示されるべき映像が正常に表示されないようにする処理が実行されればよい。
【００４２】
本実施形態のように、本発明における検出データには、検出データが生成された時刻に関するデータが含まれていることが望ましい。過去の履歴から、テレビジョン受像機に近づいた頻度等を確認することができるからである。
【００４３】
本発明において、検出データは、パスワードの入力等、所定の操作がされない限り、消去することができないように記憶されていることが望ましい。テレビジョン受像機に接近したか否かをより確実に知ることができるからである。
【００４４】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００４５】
【図１】本実施形態に係るテレビジョン受像機制御装置をテレビジョン受像機の上に載置した状態を示した斜視図である。
【図２】図１に示したテレビジョン受像機制御装置の内部構成を示すブロック図である。
【図３】図１に示したテレビジョン受像機制御装置において実行される制御処理のサブルーチンを示すフローチャートである。
【図４】テレビジョン受像機に表示されるパスワード要求画像の一例を示す図である。
【符号の説明】
【００４６】
１０  テレビジョン受像機制御装置
１２  距離測定用センサ
２０  入力部
２４  インターフェイス
２６  メモリ
２８  マイクロコンピュータ
３４  ＯＳＤ回路
【図１】
2007158518.tif 000003
【図２】
2007158518.tif 000004
【図３】
2007158518.tif 000005
【図４】
2007158518.tif 000006